(57)【要約】【課題】  より殺虫効果の高い捕獲殺虫装置を提供する。【解決手段】  誘虫光１を照射する誘引光源２と、誘引光源２の下方に配置された捕虫液３を溜めた捕虫液容器４と、を備えた捕獲殺虫装置であって、誘引光源２の上方に誘虫光１を反射することができる乱気流生成用部材５を備えたことを特徴としており、誘引光源２から照射された誘虫光１により誘われた蚊や蝿などの虫が、乱気流生成用部材５の上方から吹き込む風により発生した乱気流に巻き込まれ、飛行抑制機能を失い捕虫液３に落下し、より高い殺虫効率が実現される。【選択図】図１
2006115715.tif 000002
【特許請求の範囲】
【請求項１】
誘虫光を照射する誘引光源と、誘引光源の下方に配置された捕虫液を溜める捕虫液容器と、誘引光源の上方に配置された捕虫液容器上方に乱気流を発生させるための乱気流生成用部材と、を備えたことを特徴とする捕獲殺虫装置。
【請求項２】
乱気流生成用部材を、複数の孔を設けたパネル状とし、捕虫液容器に対向して設けたことを特徴とする請求項１記載の捕獲殺虫装置。
【請求項３】
乱気流生成用部材が、誘虫光の反射板となっていることを特徴とする請求項２記載の捕獲殺虫装置。
【請求項４】
乱気流生成用部材を、横断面が上に凸型の略円弧状としたことを特徴とする請求項３に記載の捕獲殺虫装置。
【請求項５】
乱気流生成用部材を、横断面が下に凸型の略円弧状としたことを特徴とする請求項３に記載の捕獲殺虫装置。
【請求項６】
乱気流生成用部材の上方から乱気流生成用部材側に風を送風するファンを備えたことを特徴とする請求項１〜５のいずれか一つに記載の捕獲殺虫装置。
【発明の詳細な説明】
【技術分野】
【０００１】
本願発明は、誘引光源を用いて蚊や蝿などの虫を捕虫液に誘導することにより虫の捕獲もしくは殺虫を行う捕獲殺虫装置に関するものである。
【背景技術】
【０００２】
従来の捕獲殺虫装置としては、特開２００２−６５１３６号公報に開示されたものがある。同公報によると、図５に示す如く、誘虫光１を発する誘引光源2を用いて蚊や蝿などの虫を捕虫液３に誘導することにより虫の捕獲もしくは殺虫を行うものである。そして、この従来技術では、反射板７を誘引光源２の上方に捕虫液容器４に対向して設けることで、誘虫光１を捕虫液３に反射させ、捕虫液３表面を輝いた状態にさせることにより、虫をより効率的に捕虫液３へと誘い込むことができるようになっているものであった。
【０００３】
しかしながら、この場合には、虫が誘虫光１に引き寄せられるものの、殺虫するためには、虫自ら捕虫液３中に突入する必要があり、誘引光１に引き寄せられても捕虫液３には突入せずに捕獲殺虫装置から逃げてしまう虫もあるため、殺虫効率が低くなってしまう問題点があった。
【特許文献１】特開２００２−６５１３６号公報
【発明の開示】
【発明が解決しようとする課題】
【０００４】
本願発明は、上記背景技術に鑑みて発明されたものであり、その課題は、より殺虫効率の高い捕獲殺虫装置を提供することである。
【課題を解決するための手段】
【０００５】
上記課題を解決するために、本願発明は、誘虫光を照射する誘引光源と、誘引光源の下方に配置された捕虫液を溜める捕虫液容器と、誘引光源の上方に配置された捕虫液容器上方に乱気流を発生させるための乱気流生成用部材と、を備えたことを特徴とする捕獲殺虫装置である。
【発明の効果】
【０００６】
本願発明の捕獲殺虫装置においては、誘引光源の上方に配置した乱気流生成用部材により捕虫液容器上方に乱気流が発生し、誘虫光により捕虫液容器上方に誘われた虫は、この乱気流により飛行抑制機能を失い、捕虫液中に落下する。従って、虫が自ら捕虫液中に突入するのを待つのではなく、積極的に捕虫液中に落下させることにより、殺虫効率を高めることができる。
【発明を実施するための最良の形態】
【０００７】
図１は、本願の請求項１〜４に対応した第一の実施形態である捕獲殺虫装置を示している。この実施形態の捕獲殺虫装置は、図１に示す如く、誘虫光１を照射する誘引光源２と、誘引光源２の下方に配置された捕虫液３を溜める捕虫液容器４と、を備えた捕獲殺虫装置であって、誘引光源２の上方に、捕虫液容器４上方に乱気流を発生させるための乱気流生成用部材５を備えている。
【０００８】
又、この実施形態の捕獲殺虫装置は、図１に示す如く、乱気流生成用部材５を複数の孔６を設けたパネル状とし、捕虫液容器４に対向して設けている。
【０００９】
又、この実施形態の捕獲殺虫装置は、図１に示す如く、乱気流生成用部材５が、誘虫光１の反射板７となっている。
【００１０】
又、この実施形態の捕獲殺虫装置は、図１に示す如く、乱気流生成用部材５が、横断面が上に凸型の略円弧状となっている。
【００１１】
以下、この実施形態の捕獲殺虫装置を、より具体的詳細に説明する。この実施形態の捕獲殺虫装置では、図１に示す如く、捕虫液容器４はステンレス製もしくは樹脂製で、横断面が下が丸くなった半円で上が開いた箱体であり、長手方向に対して垂直な壁が高く設けられ、この両側の壁の中央は凹部８になっている。この捕虫液容器４の内面は、防水もしくは耐薬品加工をしていることが望ましく、誘引光源２が発する誘虫光１を反射できるように加工してもよい。誘虫光１を照射する誘引光源２は直管型で、円筒形の透光部材９に覆われており、捕虫液容器４の凹部８に取付けられている。この誘引光源２は蛍光灯、アーク燈や水銀灯などで、誘引光源２が発する誘虫光１には紫外線が含まれている。又、透光部材９は紫外線透過型透明アクリルパイプのように、誘虫光１を透過する素材でできている。
【００１２】
この捕虫液容器４には、捕虫液３が溜められている。この捕虫液３は、水や油に限らず、ポリビニルアルコールやポリアクリル酸ナトリウムやポリアクリルアミドなどの粘性を有する高分子の溶液、乳酸やクエン酸などの有機酸を含む溶液、殺虫作用を有する殺虫剤を含む溶液などが使われる。
【００１３】
捕虫液容器４の四隅には、棒状の取付部材１０が設けられており、この取付部材１０に乱気流生成用部材５が取付けられている。又、乱気流生成用部材５と捕虫液容器４の間には乱気流が発生するための空間が設けられており、虫が自由に出入りできるように開口している。
【００１４】
乱気流生成用部材５は、ステンレス製もしくは樹脂製であり、ステンレス製の場合はそのままで反射板７として機能するが、樹脂製の場合は内面を反射面に加工することにより反射板７としている。又、乱気流生成用部材５は捕虫液容器４に溜められた捕虫液３の液面に対向して設けられており、横断面が上に凸型の略円弧状の板に、大小様々な形状の孔６が複数設けられている。又、この乱気流生成用部材５は、捕虫液３の液面側が反射板７となっている。
【００１５】
従って、この実施形態の捕獲殺虫装置においては、誘引光源２が発する誘虫光１により捕虫容器４の上方に引き寄せられた蚊や蝿などの虫が、乱気流生成用部材５により乱気流生成用部材５と捕虫液３との間に発生した乱気流に巻き込まれ、飛行抑制機能を失い、捕虫液３へと落下する。これは、図４に示した従来例とは異なり、虫が自ら捕虫液３に突入するのを待つのではなく、虫をより積極的に捕虫液３に落下させることができ、殺虫効率が向上する。
【００１６】
又、乱気流生成用部材５を、大小様々な形状の孔６を複数設けたパネル状としているため、乱気流生成用部材５の上方から風が吹き込むと、乱気流生成用部材５と捕虫液３との間に非常に複雑な気流が発生し、これに巻き込まれた虫は捕虫液容器４上から逃げることができなくなり、捕虫液３に落下する。よって、殺虫効率が非常に高くなる。
【００１７】
又、乱気流生成用部材５を誘虫光１の反射板７となるように設けているため、これにより反射された誘虫光１が捕虫液３に照射され、捕虫液３表面が輝いた状態となり、虫が捕虫液３上方に誘われやすくなる。さらに捕虫液容器４の内面に誘虫光１を反射するような加工を施すと、より捕虫液３表面に誘虫光１が集中し、さらに虫が誘われやすくなり、殺虫効率が高くなる。又、図４に示した従来例では誘引光源２に対して反射板７の外側には誘虫光がとどかないのに比べ、この実施形態は反射板７には孔６が設けられているため、この孔６から反射板７の外側にも誘虫光１が照射され、より広い範囲から虫を引き寄せることができる。
【００１８】
又、乱気流生成用部材５を、横断面が上に凸型の円弧状の反射板７としているため、誘虫光１の反射が捕虫液容器４側に集中し、捕虫液３表面がより輝いた状態となるために、捕虫液３上に虫が誘われやすくなり、殺虫効率が高くなる。それに加え、捕獲殺虫装置の下方に誘虫光１が反射するため、建物の天井などの高い位置に取り付けて、下から虫を誘導する場合には都合がよい。
【００１９】
図２は、本願の請求項１〜３、５に対応した第二の実施形態である捕獲殺虫装置を示している。この実施形態の捕獲殺虫装置は、図２に示す如く、乱気流生成用部材５を、横断面が下に凸型の円弧状の反射板７としている。
【００２０】
従って、この実施形態の捕獲殺虫装置では、誘虫光１の反射が広範囲に起こり、広範囲の虫が誘虫光に誘われ、より多くの虫を捕獲もしくは殺虫することができる。
【００２１】
なお、それ以外の部分は第一の実施形態と同様の構成であり、その効果についても同様なものが期待される。
【００２２】
図３は、本願の請求項１〜４、６に対応した第三の実施形態である捕獲殺虫装置を示している。この実施形態の捕獲殺虫装置は、図３に示す如く、乱気流生成用部材５の上方から乱気流生成用部材５側に風を送風するファン１１を備えている。この場合、乱気流生成用部材５の上方に乱気流生成用部材５側に送風するためのファン１１を配置している。又、図示はしないが、ファン１１は電動で送風できるようになっており、捕虫液容器４と一体に設けても，ファン１１だけを別途取付けてもどちらでもよい。又、ファン１１は乱気流生成用部材５の上方に配置していなくても、例えば捕虫液容器４の下方にファン１１を配置して、ダクトを通して乱気流生成用部材５の上方から送風することで、捕虫液容器４の上方に乱気流を常に発生させることができればよい。
【００２３】
従って、この実施形態の捕獲殺虫装置では、乱気流生成用部材５に捕虫液容器４に向かって積極的に送風させることで、常に捕虫液容器４上に強い乱気流を起こすことができる。そのため、捕虫液３上に誘導された虫は、この強い乱気流に巻き込まれ、捕獲殺虫装置から逃げ出すことができず、捕虫液３に突入して捕獲もしくは殺虫され、殺虫効率が向上する。
【００２４】
なお、それ以外の部分は第一の実施形態と同様の構成であり、その効果についても同様なものが期待される。
【００２５】
なお、第一、第二及び第三の実施形態においては、乱気流生成用部材５として、複数の孔６が設けられた横断面が略円弧状の反射板７を備えているが、図４に示したルーバ状パネル１２を乱気流生成用部材５として用いてもよい。このルーバ状パネル１２を用いても、捕虫液容器４の上方に乱気流を発生させることができ、乱気流生成用部材５として用いることができる。又、ルーバ状パネル１２に誘虫光１を反射するように加工して反射板７としてもよく、これにより、捕虫液３表面を輝いた状態にすることができ、捕虫液３に虫を誘い込むことで殺虫効果が高くなる。
【図面の簡単な説明】
【００２６】
【図１】本願発明の第一の実施形態である捕獲殺虫装置を示す（ａ）は斜視図、（ｂ）は側面図。
【図２】本願発明の第二の実施形態である捕獲殺虫装置を示す側面図。
【図３】本願発明の第三の実施形態である捕獲殺虫装置を示す斜視図。
【図４】本願発明の捕獲殺虫装置を構成する乱気流生成用部材の一例であるルーバ状パネルを示す斜視図。
【図５】従来例である捕獲殺虫装置を示す側面図。
【符号の説明】
【００２７】
１  誘虫光
２  誘引光源
３  捕虫液
４  捕虫液容器
５  乱気流生成用部材
６  孔
７  反射板
１１  ファン
【図１】
2006115715.tif 000003
【図２】
2006115715.tif 000004
【図３】
2006115715.tif 000005
【図４】
2006115715.tif 000006
【図５】
2006115715.tif 000007